(57)【要約】【課題】所望とするコンテンツを、簡素・簡便な作業・操作に基づき表示するコンテンツ表示方法を提供する。【解決手段】コンテンツ表示方法は、（Ａ）撮像手段１６、及び、表示手段１３を備えた情報端末機器１０（１０Ａ）、並びに、（Ｂ）ネットワーク３０，３１内に配置され、識別子データ、及び、係る識別子データに対応したコンテンツを記録、保存した識別子データ・コンテンツ・サーバ２０を用い、撮像手段１６によって撮像された識別子に基づく識別子情報を受領した識別子データ・コンテンツ・サーバ２０は、識別子情報と識別子データとが一致するかを調べ、識別子情報と識別子データとが一致した場合、係る識別子データに対応したコンテンツをネットワーク３０，３１を経由して情報端末機器１０に送出し、表示手段１３に表示する。【選択図】  図１
2005284453.tif 000002
【特許請求の範囲】
【請求項１】
（Ａ）撮像手段、及び、表示手段を備えた情報端末機器、並びに、
（Ｂ）ネットワーク内に配置され、識別子データ、及び、係る識別子データに対応したコンテンツを記録、保存した識別子データ・コンテンツ・サーバ、
を用いたコンテンツ表示方法であって、
撮像手段によって撮像された識別子に基づく識別子情報を、情報端末機器からネットワークを経由して受領した識別子データ・コンテンツ・サーバは、識別子情報と識別子データとが一致するかを調べ、識別子情報と識別子データとが一致した場合、係る識別子データに対応したコンテンツをネットワークを経由して情報端末機器に送出し、情報端末機器は、係るコンテンツを表示手段に表示することを特徴とするコンテンツ表示方法。
【請求項２】
（Ａ）全地球測位システム、撮像手段、及び、表示手段を備えた情報端末機器、並びに、
（Ｂ）ネットワーク内に配置され、識別子データ、位置範囲データ、及び、係る識別子データと位置範囲データとに対応したコンテンツを記録、保存した識別子データ・コンテンツ・サーバ、
を用いたコンテンツ表示方法であって、
撮像手段によって撮像された識別子に基づく識別子情報、及び、全地球測位システムに基づく情報端末機器の現在位置を示す位置情報を、情報端末機器からネットワークを経由して受領した識別子データ・コンテンツ・サーバは、識別子情報と識別子データとが一致するかを調べ、且つ、位置情報が位置範囲データ内に含まれるかを調べ、識別子情報と識別子データとが一致し、且つ、位置情報が位置範囲データ内に含まれる場合、係る識別子データと位置範囲データとに対応したコンテンツをネットワークを経由して情報端末機器に送出し、情報端末機器は、係るコンテンツを表示手段に表示することを特徴とするコンテンツ表示方法。
【請求項３】
撮像手段、及び、表示手段を備え、識別子データ、及び、係る識別子データに対応したコンテンツを記録、保存した情報端末機器を用いたコンテンツ表示方法であって、
情報端末機器は、撮像手段によって撮像された識別子に基づく識別子情報と識別子データとが一致するかを調べ、識別子情報と識別子データとが一致した場合、係る識別子データに対応したコンテンツを表示手段に表示することを特徴とするコンテンツ表示方法。
【請求項４】
全地球測位システム、撮像手段、及び、表示手段を備え、識別子データ、位置範囲データ、及び、係る識別子データと位置範囲データとに対応したコンテンツを記録、保存した情報端末機器を用いたコンテンツ表示方法であって、
情報端末機器は、撮像手段によって撮像された識別子に基づく識別子情報と識別子データとが一致するかを調べ、且つ、全地球測位システムに基づく情報端末機器の現在位置を示す位置情報が位置範囲データ内に含まれるかを調べ、識別子情報と識別子データとが一致し、且つ、位置情報が位置範囲データ内に含まれる場合、係る識別子データと位置範囲データとに対応したコンテンツを表示手段に表示することを特徴とするコンテンツ表示方法。
【発明の詳細な説明】
【技術分野】
【０００１】
本発明は、ネットワーク内に配置された識別子データ・コンテンツ・サーバに記録、保存され、あるいは又、情報端末機器に記録、保存されたコンテンツを、情報端末機器に備えられた表示手段に表示するためのコンテンツ表示方法に関する。
【背景技術】
【０００２】
近年、携帯電話にはインターネット接続機能が備えられるようになってきており、携帯電話専用のホームページや、関連するサービスが提供されている。ところで、インターネット上のホームページへアクセスするためには、ホームページのアドレスに相当するＵＲＬそれ自体を直接キー入力するか、別のホームページの上に掲載された広告や、目的のホームページのＵＲＬを埋め込んだリンクと呼ばれる文字情報を指定する必要がある。ここで、ＵＲＬ（Uniform Resource Locator）とは、インターネット上のコンテンツやオブジェクトの場所を示すための表記方法であり、コンテンツやオブジェクトとは、ファイル、ニュースグループ等のツールや資源を指す。通常、ＷＷＷブラウザ等でウェブ・ページ（ホームページ）にアクセスする際、コンテンツの置かれているサーバを指定するのにＵＲＬが用いられる。ＵＲＬは、通常、アルファベット、数字、記号の組合せから構成されている。
【０００３】
インターネット上のホームページへのアクセスするためには、抑も、アルファベットキーの使用が前提となっている。然るに、携帯電話を用いる場合、携帯電話にはアルファベットキーが設けられていないため、テンキーを用いてＵＲＬを入力しなければならない。また、ホームページのＵＲＬは、例えば、新聞、雑誌、ポスター等といった紙媒体に印刷されており、あるいは又、テレビ受像器の画面等に表示される。そして、ホームページにアクセスしようとするユーザは、紙媒体に印刷され、あるいは又、テレビ受像器の画面等に表示されたＵＲＬを、携帯電話のテンキーから、直接、入力する必要がある。
【０００４】
ホームページのＵＲＬを携帯電話のテンキーから、直接、入力する作業は、非常に煩雑な作業である。それ故、このような煩雑な作業を行う必要が無い、携帯電話を用いたインターネットホームページ接続システムが、例えば、特開２００４−３８３６７から周知である。この特許公開公報に開示されたインターネットホームページ接続システムは、例えば、携帯電話に内蔵されたカメラと、カメラによって撮像された画像から画像情報を認識するための、インターネット内に配置された画像識別システムと、その認識結果を携帯電話に送り返し、更には、得られた認識結果から目的、及び、関連するホームページのアドレスを検索するためにインターネット内に配置されたホームページ検索システムを備えている。
【０００５】
この特許公開公報に開示された技術にあっては、ホームページ検索システムは、ホームページアドレスを検索し、関連する情報を示すホームページのリストを作成して、携帯電話に転送する。そして、ユーザは、ホームページのリストを携帯電話の上で参照し、認識結果として最も適切なホームページを選択することにより、目的のホームページへの接続をホームページサーバとの通信という形で実現する。
【０００６】
【特許文献１】特開２００４−３８３６７
【発明の開示】
【発明が解決しようとする課題】
【０００７】
しかしながら、この特許公開公報に開示された技術にあっては、携帯電話に一旦転送されたホームページのＵＲＬに基づき、目的のホームページへの接続を行うといった作業が必要となる。そして、携帯電話を用いた目的のホームページへの接続が完了した後に、所望のコンテンツを携帯電話にダウンロードするといった作業も必要になる。更には、目的のホームページ上で目的のコンテンツ（オブジェクト）に至るためのパス（ホームページ上の所望のコンテンツの置かれたサイト）を探さなければならない場合もある。そして、これらの作業は繁雑な作業であるし、時間を要する作業、場合によっては経験を要する作業である。
【０００８】
従って、本発明の目的は、撮像手段及び表示手段を備えた情報端末機器を用いて、所望とするコンテンツを、簡素・簡便な作業・操作に基づき表示手段に表示させることを可能とするコンテンツ表示方法を提供することにある。
【課題を解決するための手段】
【０００９】
上記の目的を達成するための本発明の第１の態様に係るコンテンツ表示方法は、
（Ａ）撮像手段、及び、表示手段を備えた情報端末機器、並びに、
（Ｂ）ネットワーク内に配置され、識別子データ、及び、係る識別子データに対応したコンテンツを記録、保存した識別子データ・コンテンツ・サーバ、
を用いたコンテンツ表示方法であって、
撮像手段によって撮像された識別子に基づく識別子情報を、情報端末機器からネットワークを経由して受領した識別子データ・コンテンツ・サーバは、識別子情報と識別子データとが一致するかを調べ、識別子情報と識別子データとが一致した場合、係る識別子データに対応したコンテンツをネットワークを経由して情報端末機器に送出し、情報端末機器は、係るコンテンツを表示手段に表示することを特徴とする。
【００１０】
上記の目的を達成するための本発明の第２の態様に係るコンテンツ表示方法は、
（Ａ）全地球測位システム（ＧＰＳ，Global Positioning Systems や Ｄ−ＧＰＳ，Differential Global Positioning Systems）、撮像手段、及び、表示手段を備えた情報端末機器、並びに、
（Ｂ）ネットワーク内に配置され、識別子データ、位置範囲データ、及び、係る識別子データと位置範囲データとに対応したコンテンツを記録、保存した識別子データ・コンテンツ・サーバ、
を用いたコンテンツ表示方法であって、
撮像手段によって撮像された識別子に基づく識別子情報、及び、全地球測位システムに基づく情報端末機器の現在位置を示す位置情報を、情報端末機器からネットワークを経由して受領した識別子データ・コンテンツ・サーバは、識別子情報と識別子データとが一致するかを調べ、且つ、位置情報が位置範囲データ内に含まれるかを調べ、識別子情報と識別子データとが一致し、且つ、位置情報が位置範囲データ内に含まれる場合、係る識別子データと位置範囲データとに対応したコンテンツをネットワークを経由して情報端末機器に送出し、情報端末機器は、係るコンテンツを表示手段に表示することを特徴とする。
【００１１】
上記の目的を達成するための本発明の第３の態様に係るコンテンツ表示方法は、
撮像手段、及び、表示手段を備え、識別子データ、及び、係る識別子データに対応したコンテンツを記録、保存した情報端末機器を用いたコンテンツ表示方法であって、
情報端末機器は、撮像手段によって撮像された識別子に基づく識別子情報と識別子データとが一致するかを調べ、識別子情報と識別子データとが一致した場合、係る識別子データに対応したコンテンツを表示手段に表示することを特徴とする。
【００１２】
上記の目的を達成するための本発明の第４の態様に係るコンテンツ表示方法は、
全地球測位システム（ＧＰＳやＤ−ＧＰＳ）、撮像手段、及び、表示手段を備え、識別子データ、位置範囲データ、及び、係る識別子データと位置範囲データとに対応したコンテンツを記録、保存した情報端末機器を用いたコンテンツ表示方法であって、
情報端末機器は、撮像手段によって撮像された識別子に基づく識別子情報と識別子データとが一致するかを調べ、且つ、全地球測位システムに基づく情報端末機器の現在位置を示す位置情報が位置範囲データ内に含まれるかを調べ、識別子情報と識別子データとが一致し、且つ、位置情報が位置範囲データ内に含まれる場合、係る識別子データと位置範囲データとに対応したコンテンツを表示手段に表示することを特徴とする。
【００１３】
本発明の第１の態様〜第４の態様に係るコンテンツ表示方法（以下、これらを総称して、単に、本発明のコンテンツ表示方法と呼ぶ場合がある）において、情報端末機器として、携帯電話や携帯式電子メール端末といった移動体携帯端末；通信手段を備えたゲーム機、ＰＤＡ（携帯情報端末，Personal Digital Assistant）といった端末機器を挙げることができる。
【００１４】
あるいは又、本発明の第１の態様あるいは第２の態様に係るコンテンツ表示方法において、情報端末機器として、ネットワークに接続するための専用ネットワーク端末（例えば、携帯電話や携帯式電子メール端末といった移動体携帯端末で代用することができる）、ネットワークに接続する機能を有するネットワーク端末（例えば、通信手段を備えたゲーム機、ＰＤＡといった端末機器、携帯電話や携帯式電子メール端末といった移動体携帯端末、パーソナルコンピュータ、ワークステーションで代用することができる）を挙げることができる。識別子データ・コンテンツ・サーバは、通常のサーバ（例えば、適切なオペレーション・システム（ＯＳ）を備えたデータベース・サーバ）から構成、構築すればよい。
【００１５】
あるいは又、本発明の第３の態様に係るコンテンツ表示方法において、情報端末機器として、各種情報とデータの一致・不一致等を判断するプラグラム等を含むコンテンツ表示方法を実行するための各種プログラムがインストールされたパーソナルコンピュータやワークステーション；コンテンツ表示方法を実行するための各種プログラムがインストールされた携帯電話や携帯式電子メール端末といった移動体携帯端末；コンテンツ表示方法を実行するための各種プログラムがインストールされた通信手段を備えたゲーム機、ＰＤＡといった端末機器を挙げることができる。あるいは又、本発明の第４の態様に係るコンテンツ表示方法において、情報端末機器として、各種情報とデータの一致・不一致等を判断するプラグラム等を含むコンテンツ表示方法を実行するための各種プログラムがインストールされた携帯電話や携帯式電子メール端末といった移動体携帯端末；コンテンツ表示方法を実行するための各種プログラムがインストールされた通信手段を備えたゲーム機、ＰＤＡといった端末機器を挙げることができる。
【００１６】
本発明のコンテンツ表示方法において、撮像手段として、ＣＣＤ（Charge Coupled Device）カメラを挙げることができ、表示手段として、液晶表示装置（ＬＣＤ）やＥＬ表示装置（Electroluminescence Display）を例示することができる。
【００１７】
情報端末機器はコンテンツを表示手段に表示するが、本発明の第１の態様あるいは第２の態様に係るコンテンツ表示方法において、この表示は、識別子データ・コンテンツ・サーバからネットワークを経由して送出された時点で、直ちに行う形態とすることもできるし、情報端末機器において、一旦、記録、保存し、後刻、コンテンツを表示手段に表示する形態とすることもできるし、これらの２形態が組み合わされた形態とすることもできる。また、本発明の第３の態様あるいは第４の態様に係るコンテンツ表示方法においても、識別子情報と識別子データとが一致したと判断された時点（あるいは、識別子情報と識別子データとが一致し、且つ、位置情報が位置範囲データ内に含まれる場合と判断された時点）で、直ちに、コンテンツを表示手段に表示する形態とすることもできるし、情報端末機器において、一旦、記録、保存し、後刻、コンテンツを表示手段に表示する形態とすることもできるし、これらの２形態が組み合わされた形態とすることもできる。
【００１８】
本発明のコンテンツ表示方法において、識別子として、図形、文字や数字を含む記号、模様（パターン）、図形と記号の組合せ、記号と模様の組合せ、図形と模様の組合せ、図形と記号と模様の組合せ、商標やキャッチフレーズやスローガン、静止画や動画、１次元バーコードや２次元バーコードといったバーコードを例示することができる。
【００１９】
本発明のコンテンツ表示方法において、識別子が表示される媒体として、書籍、新聞、雑誌、パンフレット、ポスター、広告、チラシ、包装部材、商品のラベルに代表される、紙やプラスチック材料、金属材料等を用いた印刷媒体；テレビジョン受像器や衛星放送受信機、ケーブルテレビ（ＣＡＴＶ）用受像機、街頭等に備えられた大型モニターに代表される、動画や静止画を表示する表示媒体；商品や販売促進グッズ；看板等の広告媒体；交通機関の車両や車体等；別のパーソナルコンピュータや別のワークステーション；別の携帯電話や別の携帯式電子メール端末といった別の移動体携帯端末；通信手段を備えた別のゲーム機や別のＰＤＡといった別の端末機器を例示することができる。
【００２０】
本発明のコンテンツ表示方法において、コンテンツとして、コンサート、演劇、美術展、スポーツ等の各種催し物の入場券や割引券、クーポン券、交通機関における割引券等に相当するデジタルデータ；音や声、楽曲、着信音といった音声データ；静止画や動画といった映像データ；音声データと映像データの組合せ；ゲームに相当するデータ；商品やサービス、コンサート、演劇、美術展、スポーツ等の各種催し物等の内容説明等に相当するデータ；商品やサービス、コンサート、演劇、美術展、スポーツ等の各種催し物等が提供される店舗や会場、場所等の住所や電話番号等に相当するデータ；店舗における商品等の在庫状況等に相当するデータを例示することができる。尚、コンテンツは、これらの１種、あるいは、任意の複数種の組合せとすることができる。
【００２１】
本発明の第２の態様若しくは第４の態様に係るコンテンツ表示方法において、位置範囲データとは、コンテンツが地理的データ（経度及び緯度によって定義し得るデータ）を含む場合の、係るコンテンツが位置する経度及び緯度を示すデータ、及び／又は、係るコンテンツが位置する経度及び緯度を中心とした一定の距離内の範囲を示すデータ、及び／又は、情報端末機器の現在位置を中心とした一定の距離を示すデータである。コンテンツが異なれば、通常、位置範囲データも異なる。具体的には、例えば、コンテンツが店舗の位置を示すデータを含んでいる場合、位置範囲データとして、
（イ）係る店舗が位置する経度及び緯度を示すデータ
（ロ）係る店舗が位置する経度及び緯度を中心とした一定の距離内の範囲を示すデータ
（ハ）係る店舗が位置する経度及び緯度を示すデータと、情報端末機器の現在位置を中心とした一定の距離を示すデータとの組合せ
を例示することができる。店舗が異なれば、通常、位置範囲データも異なる。
【００２２】
本発明の第１の態様あるいは第３の態様に係るコンテンツ表示方法において、コンテンツは識別子データに対応しているが、この対応の形態は、一対一対応であることが好ましい。即ち、識別子データが異なる場合には、コンテンツが異なる形態とすることが好ましい。一方、本発明の第２の態様あるいは第４の態様に係るコンテンツ表示方法においては、コンテンツは識別子データと位置範囲データとに対応しているが、この対応の形態も、一対一対応であることが好ましい。即ち、識別子データが同じであっても位置範囲データが異なる場合には、コンテンツが異なる形態とすることが好ましい。
【００２３】
本発明のコンテンツ表示方法において、撮像手段によって撮像された識別子に基づく識別子情報とは、撮像手段によって撮像された識別子の画像や映像をデジタル化したものであり、そのファイル形式あるいはデータ形式は、識別子情報と識別子データとが一致するかを調べる識別子データ・コンテンツ・サーバあるいは情報端末機器が指定（容認）するファイル形式あるいはデータ形式とすればよい。全地球測位システムに基づく情報端末機器の現在位置を示す位置情報とは、全地球測位システムに基づく情報端末機器の現在位置（例えば、経度及び緯度）を示すデジタルデータであり、そのファイル形式あるいはデータ形式も、識別子情報と識別子データとが一致するかを調べる識別子データ・コンテンツ・サーバあるいは情報端末機器が指定（容認）するファイル形式あるいはデータ形式とすればよい。
【００２４】
本発明のコンテンツ表示方法において、撮像手段による識別子の撮像状態によっては、識別子情報と識別子データとが一致するかを、直接的に調べることができない場合がある。即ち、撮像手段によって識別子を撮像したとき、識別子の画像あるいは映像が傾いていたり、回転していたり、識別子の画像あるいは映像の大きさが識別子データにおける大きさと異なっている場合がある。また、撮像手段によって識別子を撮像したとき、識別子の画像だけでなく、背景が撮影される場合もある。このような場合には、識別子データ・コンテンツ・サーバあるいは情報端末機器に識別子情報を修正するプラグラムをストアしておき、係る識別子情報を修正するプラグラムに基づき識別子情報を修正した後、修正後の識別子情報と識別子データとが一致するかを調べればよい。尚、このような処理を、識別子データ・コンテンツ・サーバによる識別子情報修正処理、あるいは、情報端末機器による識別子情報修正処理と呼ぶ場合がある。
【００２５】
また、識別子情報と識別子データとが完全に一致しなくともよい。即ち、部分的な一致であってもよい。具体的には、識別子データにおける複数の評価ポイントの内の、例えば、最低８０％の評価ポイントにおいて、（修正後の）識別子情報と識別子データとが一致した場合、（修正後の）識別子情報と識別子データとが一致したとみなせばよい。尚、このような基準を、便宜上、「最低８０％一致」と呼ぶ。
【００２６】
本発明の第１の態様あるいは第２の態様に係るコンテンツ表示方法において、ネットワークとして、インターネットを含む通信事業者が運用する公衆通信網；研究者や個人が運用する個人的なネットワーク；家庭内や店舗内で完結するネットワーク；商用ネットワーク；企業内ネットワークや学内ネットワークといったイントラネットやエクストラネットを挙げることができる。尚、識別子データ・コンテンツ・サーバがネットワーク内に配置されているとは、情報端末機器と識別子データ・コンテンツ・サーバとがネットワークを介して各種データの授受（受け渡し）を行い得る状態に、識別子データ・コンテンツ・サーバが置かれていることを意味する。
【００２７】
本発明の第１の態様あるいは第２の態様に係るコンテンツ表示方法においては、撮像手段によって撮像された識別子に基づく識別子情報を情報端末機器からネットワークを経由して識別子データ・コンテンツ・サーバに送出するが、具体的には、例えば、情報端末機器を操作する者が、撮像手段を作動させて撮像手段によって識別子を撮像し、情報端末機器において、係る撮像手段によって撮像された識別子の画像や映像をデジタル化して識別子情報を作成した後、この識別子情報を識別子データ・コンテンツ・サーバに送ればよく、あるいは又、この識別子情報を添付ファイルとした電子メールを識別子データ・コンテンツ・サーバに送ればよい。尚、そのためのプログラムを含むコンテンツ表示方法を実行するための各種プログラムは、予め、識別子データ・コンテンツ・サーバからダウンロードし、情報端末機器において記録、保存しておけばよい。
【００２８】
本発明の第３の態様あるいは第４の態様に係るコンテンツ表示方法においては、情報端末機器に、予め、識別子データ、及び、係る識別子データに対応したコンテンツ（あるいは又、識別子データ、位置範囲データ、及び、係る識別子データと位置範囲データとに対応したコンテンツ）を記録、保存しておく必要があるが、これらの識別子データ、コンテンツ、位置範囲データは、インターネットを含む公衆通信網を介して、識別子データ、コンテンツ、位置範囲データが記録、保存されたサーバから、予め、ダウンロードしておけばよい。また、各種情報とデータの一致・不一致等を判断するプラグラム等を含むコンテンツ表示方法を実行するための各種プログラムも、これらの各種プラグラムが記録、保存されたサーバから、予め、ダウンロードしておけばよい。また、本発明の第３の態様あるいは第４の態様に係るコンテンツ表示方法の実施に際して、情報端末機器は、自動的に係るサーバにアクセスし、情報端末機器に記録、保存された識別子データ、コンテンツ、位置範囲データを更新してもよい。
【００２９】
識別子データ・コンテンツ・サーバあるいは情報端末機器に記録、保存すべき識別子データ、コンテンツ、位置範囲データは、識別子データ、コンテンツ、位置範囲データの所有者（例えば、識別子データ、コンテンツ、位置範囲データを所有する会社や事業主、個人、広告主企業）から、例えばサーバの運営者が入手すればよく、あるいは又、所有者からサーバへの供給を受ければよい。即ち、サーバの運営者と、識別子データ、コンテンツ、位置範囲データの所有者とは、同じであってもよいし、異なっていてもよい。
【発明の効果】
【００３０】
本発明のコンテンツ表示方法にあっては、情報端末機器に備えられた撮像手段によって識別子を撮像するだけで、所望とするコンテンツを情報端末機器に備えられた表示手段に表示させることが可能となる。従って、コンテンツを入手するために、例えば、携帯電話のテンキーから、直接、ＵＲＬを入力する必要がないばかりか、例えば携帯電話に一旦転送されたホームページのＵＲＬに基づき、目的のホームページへの接続を行うといった作業が不要であるし、携帯電話を用いて目的のホームページへの接続が完了した後に、所望のコンテンツを携帯電話にダウンロードするといった作業も不要である。更には、目的のホームページ上で目的のコンテンツに至るためのパス（ホームページ上の所望のコンテンツの置かれたサイト）を探す必要もない。
【発明を実施するための最良の形態】
【００３１】
以下、図面を参照して、好ましい実施例に基づき本発明を説明する。
【実施例１】
【００３２】
実施例１は、本発明の第１の態様に係るコンテンツ表示方法に関する。
【００３３】
実施例１のコンテンツ表示方法において用いるシステム（装置）の概念図を図１の（Ａ）に示し、情報端末機器１０に相当するカメラ付き携帯電話１０Ａのブロック図を図１の（Ｂ）に示す。また、実施例１のコンテンツ表示方法の流れ図を図２に示す。更には、実施例１のコンテンツ表示方法の実行中における表示手段の表示内容を、模式的に図３の（Ａ）〜（Ｆ）に示す。
【００３４】
実施例１のコンテンツ表示方法においては、
（Ａ）撮像手段、及び、表示手段を備えた情報端末機器１０、並びに、
（Ｂ）ネットワーク３０，３１内に配置され、識別子データ、及び、係る識別子データに対応したコンテンツを記録、保存した識別子データ・コンテンツ・サーバ２０、
を用いる。
【００３５】
具体的には、情報端末機器１０は、撮像手段であるＣＣＤカメラ１６及び表示手段である液晶表示装置１３を備えた、所謂カメラ付き携帯電話１０Ａである。より具体的には、このカメラ付き携帯電話１０Ａは、マイクロホン、スピーカ及び変復調回路から成る電話機部１１；液晶表示装置１３及びキーパッドから成る操作部１２；メモリ１５及びＣＰＵから成るプロセッサ部１４；ＣＣＤカメラ１６；送受信回路１７；及び、アンテナ１９から構成されたデジタル方式の携帯電話である。尚、実施例１のコンテンツ表示方法を実行するための各種プログラムは、予め、識別子データ・コンテンツ・サーバ２０からダウンロードされ、カメラ付き携帯電話１０Ａに備えられたメモリ１５に記録、保存されている。尚、以下の説明において、情報端末機器１０と表現する代わりにカメラ付き携帯電話１０Ａ（あるいは、後述する実施例２、実施例４においてはカメラ付き携帯電話１０Ｂ）と表現し、撮像手段と表現する代わりにＣＣＤカメラ１６と表現し、表示手段と表現する代わりに液晶表示装置１３と表現する場合がある。
【００３６】
適切なオペレーション・システム（ＯＳ）を備えたデータベース・サーバから構成、構築された識別子データ・コンテンツ・サーバ２０は、公衆通信網（携帯電話通信網）３０を介してインターネット３１内に配置されている。尚、公衆通信網（携帯電話通信網）３０とインターネット３１とを纏めて、ネットワーク３０，３１と呼ぶ場合がある。そして、この識別子データ・コンテンツ・サーバ２０は、識別子データ、及び、係る識別子データに対応したコンテンツを多数、記録、保存している。
【００３７】
実施例１において、識別子は図形から構成されており、コンテンツは、ムービートレーラーを利用した動画に相当する映像データから構成されている。但し、識別子データ、コンテンツはこれらに限定するものではない。尚、識別子データ・コンテンツ・サーバ２０に記録、保存すべき識別子データ、コンテンツは、予め、識別子データ、コンテンツの所有者（例えば、識別子データ、コンテンツを所有する会社や事業主、個人、広告主企業）から識別子データ・コンテンツ・サーバ２０に供給されている。
【００３８】
以下、図２及び図３の（Ａ）〜（Ｆ）を参照して、実施例１のコンテンツ表示方法を説明する。
【００３９】
［ステップ−１００］
先ず、カメラ付き携帯電話１０Ａを操作する者（以下、操作者と呼ぶ）は、カメラ付き携帯電話１０Ａにおいて、コンテンツ表示方法を実行するためのプログラムを起動する。そして、ＣＣＤカメラ１６を作動させて（具体的には、図３の（Ａ）に示す「撮る」に相当するキーを押す）、ＣＣＤカメラ１６によって、新聞の広告に掲載された識別子である図形を撮像する（図２における「Ｓ−１００Ａ」及び図３の（Ａ）参照）。ＣＣＤカメラ１６によって撮像された識別子である図形の画像は、カメラ付き携帯電話１０Ａ内で、コンテンツ表示方法を実行するためのプログラムに基づき、デジタル化され、識別子情報が作成される（図２における「Ｓ−１００Ｂ」参照）。識別子情報のファイル形式あるいはデータ形式は、識別子データ・コンテンツ・サーバ２０が指定（容認）するファイル形式あるいはデータ形式とすればよい。実施例２においても同様である。
【００４０】
識別子が正しく撮像できたと操作者が判断した場合、図３の（Ａ）に示す「ＯＫ」に相当するキーを押すことで、液晶表示装置１３の表示画面が図３の（Ｂ）に示す画面に切り替わる。次いで、操作者が「送信」に相当するキーを押すことで、カメラ付き携帯電話１０Ａは、識別子情報をネットワーク３０，３１を経由して識別子データ・コンテンツ・サーバ２０に送出する（図２における「Ｓ−１００Ｃ」及び図３の（Ｃ）参照）。
【００４１】
［ステップ−１１０］
識別子情報をカメラ付き携帯電話１０Ａからネットワーク３０，３１を経由して受領した識別子データ・コンテンツ・サーバ２０は、その内部に記録、保存された識別子データと識別子情報とが一致するかを調べる（図２における「Ｓ−１１０Ａ」及び図３の（Ｄ）参照）。尚、必要に応じて、識別子データ・コンテンツ・サーバ２０による識別子情報修正処理を行う。また、識別子情報と識別子データとの一致は、「最低８０％一致」の基準を満たす部分的な一致としている。
【００４２】
そして、もしも、識別子情報と識別子データとが不一致の場合（即ち、識別子データ・コンテンツ・サーバ２０に記録、保存された識別子データ内に識別子情報が存在しない場合）、識別子データ・コンテンツ・サーバ２０は、識別子情報と識別子データとが不一致である旨を（即ち、識別子データ・コンテンツ・サーバ２０に記録、保存された識別子データ内に識別子情報が存在しない旨を）、ネットワーク３０，３１を経由してカメラ付き携帯電話１０Ａに送出し（図２における「Ｓ−１１０Ｂ」参照）、カメラ付き携帯電話１０Ａの液晶表示装置１３にその旨を表示する。
【００４３】
一方、識別子情報と識別子データとが一致した場合、液晶表示装置１３の表示画面が図３の（Ｅ）に示す画面に切り替わる。そして、「メニュー」の中から、コンテンツのダウンロードを操作者が指示すると、識別子データ・コンテンツ・サーバ２０は、係る識別子データに対応したコンテンツ（ムービートレーラーを利用した動画に相当する映像データ）をネットワーク３０，３１を経由してカメラ付き携帯電話１０Ａに送出し（図２における「Ｓ−１１０Ｃ」参照）、カメラ付き携帯電話１０Ａは、係るコンテンツ（ムービートレーラーを利用した動画）を液晶表示装置１３に表示する（図２における「Ｓ−１１０Ｄ」及び図３の（Ｆ）参照）。尚、コンテンツは識別子データに対応しているが、この対応の形態は、一対一対応である。即ち、識別子データが異なると、コンテンツは異なる。
【００４４】
識別子情報と識別子データとが一致した場合、識別子データ・コンテンツ・サーバ２０は、係る識別子データに対応したコンテンツをネットワーク３０，３１を経由してカメラ付き携帯電話１０Ａに直ちに、自動的に送出してもよい。即ち、図３の（Ｄ）に示した液晶表示装置１３の表示内容から、図３の（Ｅ）を省略して、直接、図３の（Ｆ）に示した液晶表示装置１３の表示内容に切り替えてもよい。
【実施例２】
【００４５】
実施例２は、本発明の第２の態様に係るコンテンツ表示方法に関する。実施例２のコンテンツ表示方法において用いる情報端末機器に相当するカメラ付き携帯電話１０Ｂのブロック図を図４に示す。尚、実施例２のコンテンツ表示方法において用いるシステム（装置）の概念図は図１の（Ａ）に示したと同様とすることができるし、実施例２のコンテンツ表示方法の流れ図も図２に示したと概ね同様とすることができるし、実施例２のコンテンツ表示方法の実行中における表示手段の表示内容も実質的に図３の（Ａ）〜（Ｆ）に示したと同様とすることができる。
【００４６】
実施例２のコンテンツ表示方法においては、
（Ａ）全地球測位システム、撮像手段、及び、表示手段を備えた情報端末機器１０、並びに、
（Ｂ）ネットワーク３０，３１内に配置され、識別子データ、位置範囲データ、及び、係る識別子データと位置範囲データとに対応したコンテンツを記録、保存した識別子データ・コンテンツ・サーバ２０、
を用いる。
【００４７】
具体的には、カメラ付き携帯電話１０Ｂは、図４に示すように、送受信回路１７とアンテナ１９との間にＧＰＳ回路１８が配置された点を除き、実施例１において説明したカメラ付き携帯電話１０Ａと同じ構成、構造を有する。また、識別子データ・コンテンツ・サーバ２０も、位置範囲データ、及び、識別子データと位置範囲データとに対応したコンテンツを多数、記録、保存している点を除き、実施例１の識別子データ・コンテンツ・サーバ２０と同じ構成を有する。
【００４８】
実施例２においては、識別子は、商品名を表す文字列から構成されており、コンテンツは、係る商品が販売されている店舗の名称、住所、電話番号、在庫状況から構成されている。但し、識別子データ、コンテンツはこれらに限定するものではない。また、実施例２における位置範囲データ、更には、尚、後述する実施例４における位置範囲データは、例えば、係る店舗が位置する経度及び緯度を中心とした一定の距離内の範囲を示すデータであり、あるいは又、係る店舗が位置する経度及び緯度を示すデータとカメラ付き携帯電話１０Ｂの現在位置を中心とした一定の距離を示すデータとの組合せである。店舗が異なれば、通常、位置範囲データも異なる。
【００４９】
以下、図５、及び、再び、図３の（Ａ）〜（Ｆ）を参照して、実施例２のコンテンツ表示方法を説明する。
【００５０】
［ステップ−２００］
先ず、操作者は、カメラ付き携帯電話１０Ｂにおいて、コンテンツ表示方法を実行するためのプログラムを起動する。そして、ＣＣＤカメラ１６を作動させて（具体的には、図３の（Ａ）に示す「撮る」に相当するキーを押す）、ＣＣＤカメラ１６によって、識別子（商品に付された商品名）を撮像する（図５における「Ｓ−２００Ａ」及び図３の（Ａ）参照）。ＣＣＤカメラ１６によって撮像された識別子である文字列の画像は、カメラ付き携帯電話１０Ｂ内で、コンテンツ表示方法を実行するためのプログラムに基づき、デジタル化され、識別子情報が作成される（図５における「Ｓ−２００Ｂ」参照）。
【００５１】
識別子が正しく撮像できたと操作者が判断した場合、図３の（Ａ）に示す「ＯＫ」に相当するキーを押すことで、液晶表示装置１３の表示画面が図３の（Ｂ）に示す画面に切り替わる。次いで、操作者が「送信」に相当するキーを押すことで、カメラ付き携帯電話１０Ｂは、識別子情報、及び、全地球測位システムに基づくカメラ付き携帯電話１０Ｂの現在位置を示す位置情報（ＧＰＳ回路１８によって生成されたカメラ付き携帯電話１０Ｂの現在位置を示す経度及び緯度に関するデジタルデータ）をネットワーク３０，３１を経由して識別子データ・コンテンツ・サーバ２０に送出する（図５における「Ｓ−２００Ｃ」及び図３の（Ｃ）参照）。
【００５２】
［ステップ−２１０］
識別子情報、及び、カメラ付き携帯電話１０Ｂの現在位置を示す位置情報をカメラ付き携帯電話１０Ｂからネットワーク３０，３１を経由して受領した識別子データ・コンテンツ・サーバ２０は、その内部に記録、保存された識別子データと識別子情報とが一致するかを調べる（図５における「Ｓ−２１０Ａ」及び図３の（Ｄ）参照）。尚、尚、必要に応じて、識別子データ・コンテンツ・サーバ２０による識別子情報修正処理を行う。また、識別子情報と識別子データとの一致は、「最低８０％一致」の基準を満たす部分的な一致としている。
【００５３】
そして、もしも、識別子情報と識別子データとが不一致の場合（即ち、識別子データ・コンテンツ・サーバ２０に記録、保存された識別子データ内に識別子情報が存在しない場合）、識別子データ・コンテンツ・サーバ２０は、識別子情報と識別子データとが不一致である旨を、ネットワーク３０，３１を経由してカメラ付き携帯電話１０Ｂに送出し（図５における「Ｓ−２１０Ｂ」参照）、カメラ付き携帯電話１０Ｂの液晶表示装置１３にその旨を（即ち、識別子データ・コンテンツ・サーバ２０に記録、保存された識別子データ内に識別子情報が存在しない旨を）、表示する。
【００５４】
一方、識別子情報と識別子データとが一致した場合、識別子データ・コンテンツ・サーバ２０は、位置情報が位置範囲データ内に含まれるかを調べる。即ち、位置範囲データが、店舗が位置する経度及び緯度を中心とした一定の距離内の範囲を示すデータである場合、より具体的には、東経Ａ1度Ｂ1分Ｃ1秒乃至東経Ａ2度Ｂ2分Ｃ2秒に相当するデータであり、北緯Ｄ1度Ｅ1分Ｆ1秒乃至北緯Ｄ2度Ｅ2分Ｆ2秒に相当するデータである場合、東経Ａ度Ｂ分Ｃ秒、北緯Ｄ度Ｅ分Ｆ秒に相当するデータである位置情報が、
東経Ａ1度Ｂ1分Ｃ1秒≦東経Ａ度Ｂ分Ｃ秒≦東経Ａ2度Ｂ2分Ｃ2秒
北緯Ｄ1度Ｅ1分Ｆ1秒≦北緯Ｄ度Ｅ分Ｆ秒≦北緯Ｄ2度Ｅ2分Ｆ2秒
を満足するかを調べる（図５における「Ｓ−２１０Ｃ」参照）。複数のコンテンツがこの条件を満足する場合がある。
【００５５】
あるいは又、位置範囲データが、店舗が位置する（経度，緯度）＝（東経Ａ0度Ｂ0分Ｃ0秒，北緯Ｄ0度Ｅ0分Ｆ0秒）、及び、カメラ付き携帯電話１０Ｂの現在位置（東経Ａ度Ｂ分Ｃ秒，北緯Ｄ度Ｅ分Ｆ秒）を中心とした一定の距離（Ｒ）である場合、東経Ａ度Ｂ分Ｃ秒，北緯Ｄ度Ｅ分Ｆ秒の地点を中心とした半径Ｒの円内に、東経Ａ0度Ｂ0分Ｃ0秒，北緯Ｄ0度Ｅ0分Ｆ0秒の地点が入っているかを調べる。尚、後述する実施例４においても、同様の態様を採用することができる。複数のコンテンツがこの条件を満足する場合がある。
【００５６】
そして、もしも、位置情報が位置範囲データ内に含まれていない場合、識別子データ・コンテンツ・サーバ２０は、カメラ付き携帯電話１０Ｂの現在位置においてコンテンツが存在しないことを、具体的には、カメラ付き携帯電話１０Ｂの現在位置の近くには、この商品を販売している店舗が無いことを、ネットワーク３０，３１を経由してカメラ付き携帯電話１０Ｂに送出し（図５における「Ｓ−２１０Ｄ」参照）、カメラ付き携帯電話１０Ｂの液晶表示装置１３にその旨を表示する。
【００５７】
一方、位置情報が位置範囲データ内に含まれている場合、液晶表示装置１３の表示画面が図３の（Ｅ）に示す画面に切り替わる。そして、「メニュー」の中から、コンテンツのダウンロードを操作者が指示すると、識別子データ・コンテンツ・サーバ２０は、係る識別子データと位置範囲データとに対応したコンテンツ（カメラ付き携帯電話１０Ｂの現在位置の近くに在るこの商品を販売している店舗の名称、住所、電話番号、在庫状況に相当するデジタルデータ）をネットワーク３０，３１を経由してカメラ付き携帯電話１０Ｂに送出し（図５における「Ｓ−２１０Ｅ」参照）、カメラ付き携帯電話１０Ｂは、係るコンテンツ（カメラ付き携帯電話１０Ｂの現在位置の近くに在るこの商品を販売している店舗の名称、住所、電話番号、在庫状況）を液晶表示装置１３に表示する（図５における「Ｓ−２１０Ｆ」及び図３の（Ｆ）参照）。尚、コンテンツは識別子データと位置範囲データとに対応しているが、この対応の形態は、一対一対応である。即ち、識別子データが同じであっても位置範囲データが異なる場合には、コンテンツが異なる。言い換えれば、カメラ付き携帯電話１０Ｂの現在位置が異なれば、そのカメラ付き携帯電話１０Ｂの近くに在るこの商品を販売している店舗も変わるので、カメラ付き携帯電話１０Ｂに表示される店舗も変わる。
【００５８】
識別子情報と識別子データとが一致し、且つ、位置情報が位置範囲データ内に含まれる場合、識別子データ・コンテンツ・サーバ２０は、係る識別子データと位置範囲データとに対応したコンテンツをネットワーク３０，３１を経由してカメラ付き携帯電話１０Ｂに直ちに、自動的に送出してもよい。即ち、図３の（Ｄ）に示した液晶表示装置１３の表示内容から、図３の（Ｅ）を省略して、直接、図３の（Ｆ）に示した液晶表示装置１３の表示内容に切り替えてもよい。
【実施例３】
【００５９】
実施例３は、本発明の第３の態様に係るコンテンツ表示方法に関する。実施例３のコンテンツ表示方法において用いる情報端末機器に相当するカメラ付き携帯電話１０Ａは、実施例１のコンテンツ表示方法において用いる情報端末機器に相当するカメラ付き携帯電話１０Ａと同じとすることができる。尚、カメラ付き携帯電話１０Ａのメモリ１５には、識別子データ、及び、係る識別子データに対応したコンテンツが記録、保存されており、更には、実施例３のコンテンツ表示方法を実行するための各種プログラムも記録、保存されている。識別子データ、コンテンツ、各種プログラムは、公衆通信網、インターネットを介して、識別子データ、コンテンツ、各種プログラムが記録、保存されたサーバから、予め、ダウンロードしておく。
【００６０】
実施例３のコンテンツ表示方法においては、識別子は、図形（例えば、商標）から構成されており、識別子が表示される媒体は新聞の広告から構成されており、コンテンツは、商品の内容説明に相当するデータから構成されている。また、コンテンツは識別子データに対応しているが、この対応の形態は、一対一対応である。即ち、識別子データが異なる場合には、コンテンツが異なる。
【００６１】
以下、図６、及び、再び、図３の（Ａ）、（Ｄ）〜（Ｆ）を参照して、実施例３のコンテンツ表示方法を説明する。
【００６２】
［ステップ−３００］
先ず、操作者は、カメラ付き携帯電話１０Ａにおいて、コンテンツ表示方法を実行するためのプログラムを起動する。そして、ＣＣＤカメラ１６を作動させて（具体的には、図３の（Ａ）に示す「撮る」に相当するキーを押す）、ＣＣＤカメラ１６によって、新聞の広告に掲載された識別子である図形（商標）を撮像する（図６における「Ｓ−３００Ａ」参照及び図３の（Ａ）参照）。ＣＣＤカメラ１６によって撮像された識別子である図形の画像は、カメラ付き携帯電話１０Ａ内で、コンテンツ表示方法を実行するためのプログラムに基づき、デジタル化され、識別子情報が作成される（図６における「Ｓ−３００Ｂ」参照）。識別子情報のファイル形式あるいはデータ形式は、カメラ付き携帯電話１０Ａが指定（容認）するファイル形式あるいはデータ形式とすればよい。実施例４においても同様である。
【００６３】
［ステップ−３１０］
識別子が正しく撮像できたと操作者が判断した場合、図３の（Ａ）に示す「ＯＫ」に相当するキーを押す。カメラ付き携帯電話１０Ａは、その内部に記録、保存された識別子データと、ＣＣＤカメラ１６によって撮像された識別子に基づく識別子情報とが一致するかを調べる（図６における「Ｓ−３１０Ａ」及び図３の（Ｄ）参照）。尚、必要に応じて、カメラ付き携帯電話１０Ａによる識別子情報修正処理を行う。また、識別子情報と識別子データとの一致は、「最低８０％一致」の基準を満たす部分的な一致としている。
【００６４】
そして、もしも、識別子情報と識別子データとが不一致の場合（即ち、カメラ付き携帯電話１０Ａに記録、保存された識別子データ内に識別子情報が存在しない場合）、カメラ付き携帯電話１０Ａの液晶表示装置１３にその旨を（即ち、カメラ付き携帯電話１０Ａに記録、保存された識別子データ内に識別子情報が存在しない旨を）、表示する（図６における「Ｓ−３１０Ｂ」参照）。
【００６５】
一方、識別子情報と識別子データとが一致した場合、液晶表示装置１３の表示画面が図３の（Ｅ）に示す画面に切り替わる。そして、「メニュー」の中から、コンテンツの表示を操作者が指示すると、係る識別子データに対応したコンテンツ（商品の内容説明）を液晶表示装置１３に表示する（図６における「Ｓ−３１０Ｃ」及び図３の（Ｆ）参照）。
【００６６】
識別子情報と識別子データとが一致した場合、係る識別子データに対応したコンテンツを直ちに、自動的に液晶表示装置１３に表示してもよい。即ち、図３の（Ｄ）に示した液晶表示装置１３の表示内容から、図３の（Ｅ）を省略して、直接、図３の（Ｆ）に示した液晶表示装置１３の表示内容に切り替えてもよい。
【実施例４】
【００６７】
実施例４は、本発明の第４の態様に係るコンテンツ表示方法に関する。実施例４のコンテンツ表示方法において用いる情報端末機器に相当するカメラ付き携帯電話１０Ｂは、実施例２において説明したカメラ付き携帯電話１０Ｂと同様とすることができる。尚、カメラ付き携帯電話１０Ｂのメモリ１５には、識別子データ、位置範囲データ、及び、係る識別子データと位置範囲データとに対応したコンテンツが記録、保存されており、更には、実施例４のコンテンツ表示方法を実行するための各種プログラムも記録、保存されている。識別子データ、位置範囲データ、コンテンツ、各種プログラムは、公衆通信網、インターネットを介して、識別子データ、位置範囲データ、コンテンツ、各種プログラムが記録、保存されたサーバから、予め、ダウンロードしておく。
【００６８】
実施例４においては、識別子は、図形（例えば、商標）から構成されており、識別子が表示される媒体は、新聞の広告から構成されており、コンテンツは、係る商品が販売されている店舗の名称、住所、電話番号、係る商品の購入割引券であるクーポン券から構成されている。但し、識別子データ、コンテンツはこれらに限定するものではない。
【００６９】
以下、図７、及び、再び、図３の（Ａ）、（Ｄ）〜（Ｆ）を参照して、実施例４のコンテンツ表示方法を説明する。
【００７０】
［ステップ−４００］
先ず、操作者は、カメラ付き携帯電話１０Ｂにおいて、コンテンツ表示方法を実行するためのプログラムを起動する。そして、ＣＣＤカメラ１６を作動させて（具体的には、図３の（Ａ）に示す「撮る」に相当するキーを押す）、ＣＣＤカメラ１６によって、新聞の広告に掲載された識別子である図形（商標）を撮像する（図７における「Ｓ−４００Ａ」参照及び図３の（Ａ）参照）。ＣＣＤカメラ１６によって撮像された識別子である図形の画像は、カメラ付き携帯電話１０Ｂ内で、コンテンツ表示方法を実行するためのプログラムに基づき、デジタル化され、識別子情報が作成される（図７における「Ｓ−４００Ｂ」参照）。
【００７１】
［ステップ−４１０］
識別子が正しく撮像できたと操作者が判断した場合、図３の（Ａ）に示す「ＯＫ」に相当するキーを押す。カメラ付き携帯電話１０Ｂは、その内部に記録、保存された識別子データと、ＣＣＤカメラ１６によって撮像された識別子に基づく識別子情報とが一致するかを調べる（図７における「Ｓ−４１０Ａ」及び図３の（Ｄ）参照）。尚、必要に応じて、カメラ付き携帯電話１０Ｂによる識別子情報修正処理を行う。また、識別子情報と識別子データとの一致は、「最低８０％一致」の基準を満たす部分的な一致としている。
【００７２】
そして、もしも、識別子情報と識別子データとが不一致の場合（即ち、カメラ付き携帯電話１０Ｂに記録、保存された識別子データ内に識別子情報が存在しない場合）、カメラ付き携帯電話１０Ｂの液晶表示装置１３にその旨を（即ち、カメラ付き携帯電話１０Ｂに記録、保存された識別子データ内に識別子情報が存在しない旨を）、表示する（図７における「Ｓ−４１０Ｂ」参照）。
【００７３】
一方、識別子情報と識別子データとが一致した場合、カメラ付き携帯電話１０Ｂは、位置情報が位置範囲データ内に含まれるかを調べる。即ち、実施例２における「Ｓ−２１０Ｃ」と同様の処理を行う（図７における「Ｓ−４１０Ｃ」参照）。複数のコンテンツがこの条件を満足する場合がある。
【００７４】
そして、もしも、位置情報が位置範囲データ内に含まれていない場合、カメラ付き携帯電話１０Ｂの現在位置においてコンテンツが存在しないことを、具体的には、カメラ付き携帯電話１０Ｂの現在位置の近くには、この商品を販売している店舗が無いことを、カメラ付き携帯電話１０Ｂの液晶表示装置１３に表示する（図７における「Ｓ−４１０Ｄ」参照）。
【００７５】
一方、位置情報が位置範囲データ内に含まれている場合、液晶表示装置１３の表示画面が図３の（Ｅ）に示す画面に切り替わる。そして、「メニュー」の中から、コンテンツの表示を操作者が指示すると、係る識別子データと位置範囲データとに対応したコンテンツ（カメラ付き携帯電話１０Ｂの現在位置の近くに在るこの商品を販売している店舗の名称、住所、電話番号、クーポン券）を液晶表示装置１３に表示する（図７における「Ｓ−４１０Ｅ」及び図３の（Ｆ）参照）。尚、コンテンツは識別子データと位置範囲データとに対応しているが、この対応の形態は、一対一対応である。即ち、識別子データが同じであっても位置範囲データが異なる場合には、コンテンツが異なる。言い換えれば、カメラ付き携帯電話１０Ｂの現在位置が異なれば、そのカメラ付き携帯電話１０Ｂの近くに在るこの商品を販売している店舗も変わるので、カメラ付き携帯電話１０Ｂに表示される店舗も変わる。
【００７６】
尚、係る識別子データと位置範囲データとに対応したコンテンツを、別途、メモリ１５に記憶させておき、コンテンツとして表示されたカメラ付き携帯電話１０Ｂの現在位置の近くに在るこの商品を販売している店舗に行き、メモリ１５に記憶されたコンテンツ（クーポン券）を液晶表示装置１３に表示させることで、係る商品を割引価格で購入することができる。尚、このような態様は、実施例１〜実施例３にも適用することができる。
【００７７】
以上、本発明を好ましい実施例に基づき説明したが、本発明はこれらの実施例に限定されるものではない。情報端末機器、識別子データ・コンテンツ・サーバ、ネットワーク等の構成、構造は例示であり、適宜変更することができるし、識別子やコンテンツの内容も例示であり、適宜変更することができる。
【００７８】
例えば、本発明の第１の態様あるいは第２の態様に係るコンテンツ表示方法にあっては、新聞、雑誌等に掲載された広告における識別子を、新聞や雑誌毎に異ならせておけば、どの新聞や雑誌を読んだ読者がコンテンツ表示方法を実行したかを、識別子データ・コンテンツ・サーバに情報として蓄積することが可能である。そして、これによって、識別子データ、コンテンツ、位置範囲データの所有者は、広告の効果を調べることが可能となり、マーケティング情報収集を実行することができる。即ち、例えば、どの製品の、どういった表示の、いつ、どのような媒体に掲示された広告であるかといった、広告の特定を行うことが可能となり、更には、その結果を基に、マーケティングデータベースの更新処理を行うことが可能となる。
【図面の簡単な説明】
【００７９】
【図１】図１のＡ）は、実施例１のコンテンツ表示方法において用いるシステム（装置）の概念図であり、図１の（Ｂ）は、情報端末機器に相当するカメラ付き携帯電話のブロック図である。
【図２】図２は、実施例１のコンテンツ表示方法の流れ図である。
【図３】図３の（Ａ）〜（Ｆ）は、実施例１のコンテンツ表示方法の実行中における表示手段の表示内容を模式的に示す図である。
【図４】図４は、実施例２のコンテンツ表示方法において用いる情報端末機器に相当するカメラ付き携帯電話のブロック図である。
【図５】図５は、実施例２のコンテンツ表示方法の流れ図である。
【図６】図６は、実施例３のコンテンツ表示方法の流れ図である。
【図７】図７は、実施例４のコンテンツ表示方法の流れ図である。
【符号の説明】
【００８０】
１０・・・情報端末機器、１０Ａ，１０Ｂ・・・カメラ付き携帯電話、１１・・・電話機部、１２・・・操作部、１３・・・液晶表示装置、１４・・・プロセッサ部、１５・・・メモリ、１６・・・ＣＣＤカメラ、１７・・・送受信回路、１８・・・ＧＰＳ回路、１９・・・アンテナ、２０・・・識別子データ・コンテンツ・サーバ、３０・・・公衆通信網（携帯電話通信網）、３１・・・インターネット、３０，３１・・・ネットワーク
【図１】
2005284453.tif 000003
【図２】
2005284453.tif 000004
【図３】
2005284453.tif 000005
【図４】
2005284453.tif 000006
【図５】
2005284453.tif 000007
【図６】
2005284453.tif 000008
【図７】
2005284453.tif 000009